(57)【要約】【課題】  本発明が解決しようとする課題は、現在荷棚を設けたパイプ製の折りたたみ椅子は開発されているものの社会には全く普及していない、そこで普及させるためには、椅子そのものを購入するのではなく、安価であり、道具を使わずに素人でも簡単に取り付けられる、折りたたみ椅子用の荷棚を提供することである。【解決手段】  折りたたみ椅子の左右前後の脚に可動状態に係止された座板の下側に、該座板との間に手荷物を載置する区画を確保し且つ前記左右前後の脚間に配設して、左右両側にスライド機構を有する側部落下防止体を備えた荷棚であって、前期スライド機構に合致する係着具と、該係着具に、前記左右前後のそれぞれの脚に係わる取着手段を備えている。【選択図】図１
2019122741.tif 000002
【特許請求の範囲】
【請求項１】
折りたたみ椅子の左右前後の脚に可動状態に係止された座板の下側に、該座板との間に手荷物を載置する区画を確保し且つ前記左右前後の脚間に配設して、左右両側にスライド機構を有する側部落下防止体を備えた荷棚であって、
前期スライド機構に合致する係着具と、
該係着具に、前記左右前後のそれぞれの脚に係わる取着手段を備えた折りたたみ椅子用荷棚装置。
【請求項２】
前記脚に係わる取着手段は、可撓部に対向型に連設し、且つか撓部の逆側を開放する樋型の挟着部と、
該挟着部の開放側に突出し、且つ該挟着部の閉合時に合致する可圧部と、
該合致した可圧部に嵌合する加圧管と、
該可圧管又は前記可圧部に、前記スライド孔からの脱落を防止する脱落防止具を備えてなる請求項１に記載の折りたたみ椅子用荷棚装置。
【請求項３】
前記後脚又は荷棚に後部落下防止体を備えた請求項１に記載の折りたたみ椅子用荷棚装置。
【請求項４】
折りたたみ椅子の座板の下側に、座板との間に手荷物を載置する区画を確保して配設する荷棚の両側部又は両側部と後部に備えた吊体と、
該吊体を前記座板と座枠への取着手段を備えた折りたたみ椅子用荷棚装置。
【請求項５】
前記吊体は両端及び中央部分に回動手段を備え、一端は座板側に、他端は荷棚にそれぞれ係着する請求項４に記載の折りたたみ椅子用荷棚装置。
【請求項６】
前記回動手段はヒンジ若しくは軸着等による請求項５に記載の折りたたみ椅子用荷棚装置。
【請求項７】
前記座枠と前記荷棚又は前記吊体に前記後部落下防止体を備えた請求項４から６のいづれかに記載の折りたたみ椅子用荷棚装置。
【発明の詳細な説明】
【技術分野】
【０００１】  本発明は、既存のパイプ製折りたたみ椅子、及び劇場等に設置された座板のみをたたむ椅子の、座板の下側に設ける、荷物の落下及び盗難を防止できる荷棚であり、椅子を折りたたむ動作に連動してたためる荷棚装置荷関する。
【背景技術】
【０００２】  従来より座板の下側に荷棚が設けられた折りたたみ椅子は数多く出願されているが、これら全てのの折りたたみ椅子は、荷棚を組み込んだ状態で制作するもので、既に購入して使用しているパイプ式の折りたたみ椅子や、劇場等に設置されて現在使用している座板のみがたためる椅子に、後から取り付けることを目的とした荷棚装置はなかった。
【先行技術文献】
【特許文献】
【０００３】
【特許文献１】特許第６１５２５１０
【発明の概要】
【発明が解決しようとする課題】
【０００４】  本発明が解決しようとする課題は、現在荷棚を設けたパイプ製の折りたたみ椅子は開発されているものの社会には全く普及はなく、前記特許文献１においても、折りたたみ椅子の左右前後の脚に直接スライド用の係止具を設けて荷棚を組み込んでいて、この製造方法によると、折りたたみ椅子と荷棚の両方を同時に販売・購入しなければならないので、自ずと高価なものになってしまう。
理由として、先ず製造する企業の側は、新たに荷棚付きの折りたたみみ椅子を製造し販売を行うと、既に生産を完了している折りたたみ椅子の多くが在庫となって、大きな損失を招く恐れがあるので、荷棚付きの折りたたみ椅子の生産に踏み切ることができないでいる。
また、利用者の側からすると、特に学校やイベント等を行う業者では、既に多くの折りたたみ椅子を揃えていて、この既存の折りたたみ椅子と荷棚付きの折りたたみ椅子を入れ換える買い代えることは、費用が嵩むので不可能に等しいことであり、結果として既存の折りたたみ椅子と荷棚付きの椅子を混ぜて使用することは否めない。【０００５】  そこで、荷棚のみを購入して、手元に揃えている既存の折りたたみ椅子に、容易に取り付けることができ、且つ椅子をたたむ動作に連動して荷棚もたため、更に安価な折りたたみ椅子用荷棚装置を提供することである。
【課題を解決するための手段】
【０００６】  本発明は上記の課題を解決するためになされるもので、本発明の折りたたみ椅子用荷棚装置は、折りたたみ椅子の左右前後の脚に可動状態に係止された座板の下側に、該座板との間に手荷物を載置する区画を確保し且つ前記左右前後の脚間に配設して、左右両側にスライド機構を有する側部落下防止体を備えた荷棚であって、
前期スライド機構に合致する係着具と、
該係着具に、前記左右前後のそれぞれの脚に係わる取着手段を備えたもの、
及び、折りたたみ椅子の座板の下側に、座板との間に手荷物を載置する区画を確保して配設する荷棚の両側部又は両側部と後部に備えた吊体と、
該吊体を前記座板又は座枠への取着手段を備えている。
【発明の効果】
【０００７】    本発明は請求項１に記載の内容から、折りたたみ椅子の左右前後の脚への取り付け手段と、請求項４荷記載の荷棚の左右に設けた吊体を座板、又は座枠に取り付ける手段をよって、販売前、また既に販売されて使用中の折りたたみ椅子や、劇場等の床に設置された座板のみがたためる椅子であっても、荷棚を取り付けることができる大きな効果がある。
またこの効果によって、安価な荷棚と取り付け部材のみを購入すれば良いので、荷棚が付いた折りたたみ椅子を早期に普及させることができる。
【図面の簡単な説明】
【０００８】
【図１】  実施例１の係止具を脚に取着した状態の詳細図である。
【図２】  図１の折りたたみ椅子全体の断面図である。
【図３】  実施例１の係止具を分解した詳細図である。
【図４】  後部落下防止体の正面図である。
【図５】  実施例２の斜視図である。
【図６】  図５の荷棚を中間までたたんだ状態の斜視図である。
【図７】  図５の荷棚を完全にたたんだ状態の斜視図である。
【図８】  実施例２を取着した折りたたみ椅子の正面図である。
【図９】  図８のｂ−ｂ断面図である。
【図１０】  実施例３を座枠に取着前の斜視図である。
【図１１】  図１０の断面図である。
【図１２】  図１０に示す実施例３を座枠に取着後の斜視図である。
【図１３】  図１２の断面図である。
【図１４】  図１０を座枠に取着して荷棚をたたんだ状態の断面図である。
【図１５】  実施例４の断面図である。
【図１６】  図１５の詳細図である。
【図１７】  実施例５の断面図である。
【図１８】  実施例６の断面図である。
【図１９】  実施例７の斜視図である。
【図２０】  ぞ１９を劇場の椅子に取着した状態の側面図である。
【図２１】  図１９の座板を４５度たたんだ状態の側面図である。
【図２２】  実施例８の断面図である。
【発明を実施するための形態】
【０００９】  本発明の折りたたみ椅子用荷棚装置は、以下に述べる実施例に限定されるものではなく、本発明の技術的思想の範囲内、すなわち同一の作用効果を発揮できる形状及び寸法の範囲内で、適宜変更することができる。
【実施例１】
【００１０】  本発明の実施例１を図面に基づいて詳細に説明する。
先ず先に、本実施例の効果を発揮する上で最も重要な部材である係止具５Ａを、図１・図２・図３によって説明する。
図１の左図は、折りたたみ椅子の前脚７１に係止具５Ａを装着し、この係止具５Ａを荷棚側から見た正面図であって、係止具５Ａの中央に脱落防止具１０を表し、更に点線によって図視する荷棚１の上側側部に形成するスライド孔Ａ３を設けた側部落下防止体２を表している。【００１１】  次に図１の右図は、左図のａ−ａ矢視図であって、係止具Ａ５に形成する可圧部８に側部落下防止体２に設けたスライド孔Ａを３挿通し、且つ荷棚の脱落を防止するための脱落防止具１０を設けている。
またこの図１では、係止具Ａ５を左側の前脚７１に装着した状態を表しているが、この状態は左右前後の全ての脚に共通するものである。【００１２】  次に図２の左図は、実施例１の荷棚を折りたたみ椅子に組み入れて、実際に使用できる状態を表していて、座板７４の下側に係止具５Ａ・５Ａを前後の脚に装着し、該係止具５Ａ・５Ａに荷棚１と側部落下防止体２を組み入れた状態を表している。
次に図２の右図は、左図の折りたたみ椅子を、収納できるようにたたんだ状態を表している。【００１３】  次に図３は、係止具５の断面詳細図であって、
Ａ図に示すように、係止具５Ａは可撓部６によって開閉自在とするもので、その形状は、可撓部６を介して断面樋型の挟着部７・７を形成し、更に該挟着部７・７を閉じ合わせたたときに円柱形となる加圧部８・８形成している。
Ｂ図に示す加圧管９は、挟着部７・７を閉じて円柱形をよなる加圧部８・８に嵌めて、挟着部７・７の閉鎖状態を維持させるものであり、またこの加圧管９は、折りたたみ椅子を開閉する際に、側部落下防止体２に形成するスライド孔Ａ３・スライド孔Ｂ４内を手摺動することになるので、可圧管９の磨耗を少なくするために金属管としている。
Ｃ図に示す脱落防止具１０は、前記加圧管９から落下防止体２が脱落するのを防ぐものである。【００１４】  Ｄ図は折りたたみ椅子に荷棚１を組み入れた状態の脚部の平面図であって、挟着部７・７で脚７６を挟み、加圧管９によって脚７６を締めつけることで、係止具Ａ５の滑下を防ぐと共に、脱落防止具１０によって側部落下防止体２の加圧管９からの脱落をも防げる。ここで前記加圧管９は上記する作用・効果のほかに、以下に述べる大きな効果がある。
本発明の折りたたみ椅子用荷棚装置は、既存の折りたたみ椅子に後から荷棚を取り付けるものであり、注意すべきことは、折りたたみ椅子が既存であるために、左右の脚の間隔が僅かではあるが差異がある。
そこで、この差異を補うための調整手段として、加圧部８・８と加圧管９長めにしていて、この長くしたことによって強度が損なわれるときは、加圧部８・８に補強手段を施した別型の係止具を用意すればよい。
Ｅ図はＤ図の脱落防止具１０部分の断面図であって、挟着部７・７と可圧部８・８との間に補強部１１・１１を設けている。
Ｆ図はＥ図のｂ−ｂ断面図であって、Ｅ図と同じく挟着部７・７と可圧部８・８との間に補強部１１・１１を設けている。
次に図４は後部落下防止体１２の正面図であって、後部落下防止体１２の下辺部は荷棚１の後辺に、撥ね上げ用のバネ付きヒンジ１４・１４によって蝶着されている。
従って、押圧摺動部１３・１３は常に後脚７３・７３の内面に接しているので、椅子を折りたたむときは、押圧摺動部は後脚７３・７３の内面を上下に摺動する。
【実施例２】
【００１５】  次に本発明の実施例２を図５・図６・図７・図８・図９に基づいて詳細に説明する。
先ず図５に示すヒンジ型吊体とは、下端と中央部と上端をヒンジとするもので、金属製または合成樹脂のヒン加工等によるものである。
荷棚２１の両側部に側部ヒンジ型吊体２２の下端を蝶着し、且つ荷棚１の後辺に後部ヒンジ型吊体２３の下端を蝶着し、上端は座板７４側に取着するための取着部材２５にそれぞれ蝶着している。
また、側部ヒンジ型吊体２５を設ける箇所は、荷棚２１の両側部の前荷１ヵ所ずつ、または前後２ヵ所、更に前後を兼用する為に幅を広くする等の何れれでも良く、取着部材２５を省いて、ヒンジ自体を座板７４若しくは座枠７５に直接取着することも可能である。【００１６】  次に図６は、図５に記載する荷棚装置を半ばまで折りたたんだ状態を表している。【００１７】  次に図７は、図５に記載する荷棚装置を完全に折りたたんだ状態を表している。
【実施例３】
【００１８】  次に本発明の実施例３を図１０・図１１・図１２・図１３・図１４に基づいて詳細に説明する。
先ず図１０は、
係止具Ｂ３１は、半円樋型の嵌合体３２に、回動によって締緩効果を生み、且つ締めつけ時に働くロック機構を備えたフック部３３が軸着され、更に嵌合体３２の両端部に吊体２２を係止するための、軸孔３５・３５を設けた支持片３４・３４を形成している。【００１９】  次に図１１は図１０の断面図であって、半円樋型の嵌合体３２にフック部３３が軸着されていて、係止具Ｂ３１を折りたたみ椅子に取り付けるには、嵌合体３２を座枠７５に嵌入れた後、フック部３３によって座枠７５を締めつけ、ロック機構の働きによって係止具Ｂ３１自体を座枠７５に保持させる。
ここでロック機構は、金属成形あるいは樹脂成形ともに、従来の技術を利用する範囲で充分な効果は得られる。【００２０】  次に図１２は図１０図１１に続き、係止具３１Ｂを座枠に装着した状態の斜視図であって、樋型の嵌合３２を座枠７５に嵌め入れてフック部３３によって座枠７５を締めつけている。、ロック機構の働きによって係止具Ｂ３１自体を座枠７５に保持させる。よって、予め係止具３１に形成する軸孔３５に、側部ヒンジ型吊体２２上端に形成するヒンジ部２４の軸体３６を挿入し、係止具３１と側部ヒンジ型吊体２２は一体とし、更に左右一対として、側部ヒンジ型吊体２２と荷棚２１を蝶着して荷棚装置としている。
次に図１２は、係止具Ｂ３１に設けたフック部３３によって座枠７５を締めつけた状態を表した断面図である。
次に図１３は、本実施例の側部ヒンジ型吊体２２・２２をたたんだ状態を表していて、側部ヒンジ型吊体２２・２２と荷棚２１は、座板７４と座枠３１・３１の中に収納できるので、複数の折りたたみ椅子を重ねて収納できる効果があり、荷棚には何の影響もない。
【実施例４】
【００２１】  次に本発明の実施例４を、図１５・図１６に基づいて実施例４を詳細に説明する。
図１５は、係止具Ｃ４１・４１を座枠７５・７５に装着し、荷棚２１を折りたたんだ状態の断面図である。
次に図１６は図１５の詳細図であって、嵌合体４２内に座枠７５を嵌め入れ、この座枠７５を、押圧片４３とネジ部４４と操作部Ａからなる締め具４６によって締め込むことで係止具Ｃを座枠７５に装着し、更に嵌合体Ｂに形成する支持片３４を介して図示を省いているが、側部ヒンジ型吊体２２と荷棚２１を連接している。
【実施例５】
【００２２】  次に本発明の実施例５を、図１７に基づいて詳細に説明する。
図１７のＡ図は本実施例を正面から見た詳細図であって、係止具Ｄ５１・５１と直棒体Ａ５３と直棒体Ｂ５５と操作部５７からなる操作体５を、左右の座枠７５・７５間に介在させている。
次にＢ図は、Ａ図の詳細図であって、左右対象且つ直列状態に構成する直棒体Ａ５３は図示上左の端部に樋型の押圧片５２を設け、且つ逆側に右ネジ部５４を形成する直棒体Ａと、また図示上右端部に樋型の押圧片５２を設け、且つ逆側に左ネジ部５６を形成する直棒体Ｂと、両ネジ部に係わる操作部５７で構成している。
よって図示上において、操作部５７の上側を手前方向に回転させると、互いに逆ネジの作用により、両端部に設けた押部５２・５２は互いに外方向に移動をするので、座枠７５・７５間での通張り効果を生じることで、係止具Ｄ５１・５１を座枠７５・７５に装着している。
【実施例６】
【００２３】  次に本発明の実施例６を、図１８に基づいて詳細に説明する。
図１８に示すように、側部ヒンジ型吊体２２に形成する各ヒンジ部の軸巻部５９を断面長孔にして、内部に介在する軸体３６を遊動可能にすることで、側部ヒンジ型吊体２２の全長が、一定間隔において自在且つ自動的に変化する。
よって、座枠７５・７５の間隔が様々に異なる折りたたみ椅子であっても、同じ寸法の荷棚２１で全てに対処できる。
また、この実施例は後部ヒンジ型吊体にも共通する。【００２４】  座板及び座枠への取り付け手段は上記の構成の係止具意外に、座板及び座枠を利用する取り付け手段は全て含むものである。
また、荷棚をたたむ手段も上記のほかに蛇腹式等も含まれる。
上記実施例２・実施例３・実施例４において、側部ヒンジ型吊体及び、係止具Ｂ・係止具Ｃの技術は、落下防止体を兼ねた後部ヒンジ型吊体も共通する。
また、実施例では側部ヒンジ型吊体を前側１箇所としているが、前後に設けても良く、或いは前後に設けた側部ヒンジ型吊体を幅広の１ヵ所にしても同じ効果が得られる。
【実施例７】
【００２４】  次に本発明の実施例７を、図１９・図２０・図２１・に基づいて詳細に説明する。
図１９のＡ図は本実施例７の斜視図であって、荷棚６１の両側部に設けた２ヵ所づつの棒型吊体６２はそれぞれ上下の端部を９０度折り曲げ、この折り曲げ部分を軸部６３とし、上端の軸部６３を取着部材６４に、また下端の軸部６３を荷棚に軸着している。
また後部左右の棒型吊体６２・６２に後部落下防止体６６を設けておくと、載置された荷物の荷棚６１からの落下や盗難を防ぐことができる。
更に、棒型吊体６２が垂直状態おのを保持手段を設けておくと、荷棚６１の揺動を抑止できるので使いやすくなる。
次に図１９のＢ図に示すように、棒型吊体６２に形成する軸部６３は、上下同方向に形成した場合、または上下逆方向に形成した場合でも同じ効果が得られる。【００２５】  次に図２０は、本実施例の荷棚装置を劇場等の椅子に取り付けた状態を示していてる。
次に図２１のＡ図は、座板を４５度たたみ上げた状態を示し、Ｂ図は座板を完全にたたんだ状態を示していて、たたんだ荷棚は観客の歩行にの際に全く支障はない。
【実施例８】
【００２６】  次に本発明の実施例９を図２２に基づいて詳細に説明する。
図２２は本実施例の部分断面図であって、
先ずＡ図は、取着部材７３に吊部材７５を蝶着し、また荷棚７１に開口する荷棚開口部７２内に、前記吊部材７５を挿通し、この吊部材７５の端部に形成するストッパ−７６によって、荷棚７１が吊部材７５からの抜落を防止することができる。
次にこの実施例の作用を、図Ｂ・図Ｃ・図Ｄ・図Ｅによって説明する。
Ｂ図は荷棚７１をたたみ上げた状態である。
Ｃ図・Ｄ図・Ｅ図の順に荷棚７１を下げてゆき、ストッパ−７６によって荷棚７１は停止する。
【実施例９】
【００２７】  次に本発明の実施例９を図２３に基づいて詳細に説明する。
先ずＡ図は、座枠９５自体に側部ヒンジ型吊体８３を取着する取着部８２を備えたパイプ型係止具Ｅ８１を設け、このパイプ型係止具Ｅ８１に側部ヒンジ型吊体８３を取着するものである。
次にＢ図は、荷棚を設けたときに、パイプ型かかり着具Ｅが荷棚の重量によって下方向に回転した状態を表している。
この構成によると、予め座枠９５を製作する時点で座枠９５にパイプ型係止具Ｅ８１を挿通しておき、荷棚は必要に応じて取着すればよい。
【符号の説明】
【００２８】  実施例１
１：荷棚                  ２：側部落下防止体        ３：スライド孔Ａ
４：スライド孔Ｂ          ５：係着具Ａ              ６：可撓部
７：挟着部                ８：可圧部                ９：可圧管
１０：脱落防止具          １１：補強部              １２：後部落下防止体
１３：押圧摺動部          １４：バネ付きヒンジ
実施例２
２１：荷棚                ２２：側部ヒンジ型吊体    ２３：後部ヒンジ型吊体
２４：ヒンジ部            ２５：取着部材            ２６：取着孔
実施例３
３１：係着具Ｂ            ３２：嵌合体Ａ            ３３：フック部
３４：支持片              ３５：軸孔                ３６：軸体
実施例４
４１：係着具Ｃ            ４２：嵌合体Ｂ            ４３：押圧片
４４：ネジ部              ４５：操作部Ａ            ４６：締具
実施例５・６
５１：係着具Ｄ            ５２：押圧片              ５３：直棒体Ａ
５４：右ネジ部            ５５：直棒体Ｂ            ５６：左ネジ部
５７：操作部Ｂ            ５８：操作体              ５９：軸巻部
実施例７
６１：荷棚                ６２：側部棒型吊体        ６３：軸部
６４：取着部材            ６５：取着孔              ６６：後部落下防止体
実施例８
７１：荷棚                ７２：荷棚開口部          ７３：取着部材
７４：ヒンジ              ７５：吊部材              ７６：ストッパ−
折りたたみ椅子
９１：前脚                ９２：背もたれ            ９３：後脚
９４：座板                ９５：座枠                ９６：脚
９７：背もたれ            ９８：座部                ９９：ひじ掛け
１００：床
実施例９
８１：パイプ型係着具Ｅ    ８２：取着部              ８３：側部ヒンジ型吊体
８４：後部ヒンジ型吊体
折りたたみ椅子（従来品）
９１：前脚                ９２：背もたれ            ９３：後脚
９４：座板                ９５：座枠                ９６：脚
９７：背もたれ            ９８：座部                ９９：肘掛
１００；床
追って審査請求と同時に明細書を補正します。
【図１】
2019122741.tif 000003
【図２】
2019122741.tif 000004
【図３】
2019122741.tif 000005
【図４】
2019122741.tif 000006
【図５】
2019122741.tif 000007
【図６】
2019122741.tif 000008
【図７】
2019122741.tif 000009
【図８】
2019122741.tif 000010
【図９】
2019122741.tif 000011
【図１０】
2019122741.tif 000012
【図１１】
2019122741.tif 000013
【図１２】
2019122741.tif 000014
【図１３】
2019122741.tif 000015
【図１４】
2019122741.tif 000016
【図１５】
2019122741.tif 000017
【図１６】
2019122741.tif 000018
【図１７】
2019122741.tif 000019
【図１８】
2019122741.tif 000020
【図１９】
2019122741.tif 000021
【図２０】
2019122741.tif 000022
【図２１】
2019122741.tif 000023
【図２２】
2019122741.tif 000024
【図２３】
2019122741.tif 000025
【手続補正書】
【提出日】平成30年3月10日(2018.3.10)
【手続補正１】
【補正対象書類名】明細書
【補正対象項目名】０００８
【補正方法】変更
【補正の内容】
【０００８】
【図１】  実施例１の係止具を脚に取着した状態の詳細図である。
【図２】  図１の折りたたみ椅子全体の断面図である。
【図３】  実施例１の係止具を分解した詳細図である。
【図４】  後部落下防止体の正面図である。
【図５】  実施例２の斜視図である。
【図６】  図５の荷棚を中間までたたんだ状態の斜視図である。
【図７】  図５の荷棚を完全にたたんだ状態の斜視図である。
【図８】  実施例２を取着した折りたたみ椅子の正面図である。
【図９】  図８のｂ−ｂ断面図である。
【図１０】  実施例３を座枠に取着前の斜視図である。
【図１１】  図１０の断面図である。
【図１２】  図１０に示す実施例３を座枠に取着後の斜視図である。
【図１３】  図１２の断面図である。
【図１４】  図１０を座枠に取着して荷棚をたたんだ状態の断面図である。
【図１５】  実施例４の断面図である。
【図１６】  図１５の詳細図である。
【図１７】  実施例５の断面図である。
【図１８】  実施例６の断面図である。
【図１９】  実施例７の斜視図である。
【図２０】  ぞ１９を劇場等の椅子に取着した状態の側面図である。
【図２１】  図１９の座板を４５度たたんだ状態の側面図である。
【図２２】  実施例８の断面図である。
【図２３】  実施例９の断面図である。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
折りたたみ椅子の左右前後の脚に可動状態に係止された座板の下側に、該座板との間に手荷物を載置する区画を確保し且つ前記左右前後の脚間に配設して、左右両側にスライド機構を有する側部落下防止体を備えた荷棚と、
前期スライド機構に合致する係着具と、
該係着具に、前記左右前後のそれぞれの脚に係わる取着手段を備えた折りたたみ椅子用荷棚装置。
【請求項２】
前記左右前後のそれぞれの脚に係わる取着手段は、可撓部を介して対向形に断面半円形の挟着部を連設し、該挟着具の可撓部の逆側に、該挟着部の挟着力を強める加圧手段を備えた請求項１に記載の折りたたみ椅子用荷棚装置。
【請求項３】
前記後脚又は荷棚後辺に後部落下防止体を備えた請求項１に記載の折りたたみ椅子用荷棚装置。
【請求項４】
折りたたみ椅子の座板の下側に、該座板との間に手荷物を載置する区画を確保して配設する荷棚の両側部又は両側部と後部に備えた吊体と、
該吊体を前記座板又は座枠又は座板と座枠への取着手段を備えた折りたたみ椅子用荷棚装置。
【請求項５】
前記吊体は上下両端部又は上下両端部及び両端部の間に回動手段を備え、上端は座板又は座枠側に取着手段を介し、下端は荷棚にそれぞれ係着する請求項４に記載の折りたたみ椅子用荷棚装置。
【請求項６】
前記回動手段はヒンジ若しくは軸着等による請求項４又は５に記載の折りたたみ椅子用荷棚装置。
【請求項７】
前記座枠又は前記荷棚又は前記吊体に前記後部落下防止体を備えた請求項４から６のいづれかに記載の折りたたみ椅子用荷棚装置。
【手続補正２】
【補正対象書類名】明細書
【補正対象項目名】全文
【補正方法】変更
【補正の内容】
【発明の詳細な説明】
【技術分野】
【０００１】  本発明は、既存のパイプ製折りたたみ椅子、及び劇場等に設置された座板のみがたためる椅子の、座板の下側に設ける、載置物の落下及び盗難を防止できる荷棚であり、椅子を折りたたむ動作に連動、又はワンタッチでたためる荷棚装置に関する。
【背景技術】
【０００２】  従来より座板の下側に荷棚が設けられた折りたたみ椅子は数多く出願されているが、これら全ての折りたたみ椅子は、荷棚を組み込んだ状態で制作するもので、既に購入して使用しているパイプ式の折りたたみ椅子や、劇場等に設置されて現在使用している座板のみがたためる椅子に、後から取り付けることを目的とした荷棚装置はなかった。
【先行技術文献】
【特許文献】
【０００３】
【特許文献１】特許第６１５２５１０号
【発明の概要】
【発明が解決しようとする課題】
【０００４】  本発明が解決しようとする課題は、現在荷棚を設けたパイプ製の折りたたみ椅子は開発されているものの市場には全く普及はなく、前記特許文献１においても、折りたたみ椅子の左右前後の脚に直接スライド用の係止具を設けて荷棚を組み込んでいて、この製造方法によると工場での作業となり、折りたたみ椅子と荷棚の両方を同時に販売・購入しなければならないので、自ずと高価なものになってしまう。
この普及を拒む理由として、先ず製造に携わる企業の側では、新たに荷棚付きの折りたたみみ椅子を製造し販売を行うと、既に生産を完了している折りたたみ椅子の多くが在庫となって、大きな損失を招く恐れがあるので、荷棚付きの折りたたみ椅子の生産に踏み切ることができないでいる。
また、需要者の側からすると、特に学校やイベント等を行う業者では、既に多くの折りたたみ椅子を揃えていて、まだ永く使える既存の折りたたみ椅子と荷棚付きの折りたたみ椅子を入れ換えるのは、勿体ないことと、費用が嵩みすぎて不可能に等しいことである。【０００５】  そこで本発明は、荷棚のみを購入して、手元に揃えている既存の折りたたみ椅子に、素人でも容易に取り付けることができ、且つ椅子をたたむ動作に連動、又はワンタッチにて荷棚もたため、更に安価な折りたたみ椅子用荷棚装置を提供することである。
【課題を解決するための手段】
【０００６】  本発明は、折りたたみ椅子の左右前後の脚に可動状態に係止された座板の下側に、該座板との間に手荷物を載置する区画を確保し且つ前記左右前後の脚間に配設して、左右両側にスライド機構を有する側部落下防止体を備えた荷棚と、前期スライド機構に合致する係着具と、該係着具に前記左右前後のそれぞれの脚に係わる取着手段を備えている。
また、折りたたみ椅子の座板の下側に、座板との間に手荷物を載置する区画を確保して配設する荷棚の両側部又は両側部と後部に備えた吊体と、該吊体を前記座板又は座枠又は座板と座枠への取着手段を備えたものとしている。
【発明の効果】
【０００７】    本発明は請求項１に記載の内容から、折りたたみ椅子の左右前後の脚への取着手段と、請求項４に記載の取着手段によって、販売前、又は既に購入して使用している折りたたみ椅子や、劇場等の床に固定された座板のみがたためる椅子に、素人でも容易に荷棚を取り付けることができる。
更に、スタッキングチェア等のたたむことができない椅子であっても、座板の裏面の構造次第では、荷棚を取り付けることができる効果があり、講演会、各種イベントなどで本発明の荷棚を使用することによって、手荷物の置き場所が増大する。
また本発明によって、椅子ごと購入するのではなく、荷棚のみを購入すればよいので安価であるから、荷棚付きの折りたたみ椅子の利便性を高めることができる。
【図面の簡単な説明】
【０００８】
【図１】  実施例１の係止具を脚に取着した状態の詳細図である。
【図２】  図１の折りたたみ椅子全体の断面図である。
【図３】  実施例１の係止具を分解した詳細図である。
【図４】  本実施例１の後部落下防止体の正面図である。
【図５】  実施例２を座枠に装着前の斜視図である。
【図６】  図５のｂ−ｂ断面図である。
【図７】  図５の実施例２を座枠に装着後の斜視図である。
【図８】  図７のｃ−ｃ断面図である。
【図９】  本実施例２を座枠に装着して荷棚をたたんだ状態の部分断面正面図である。
【図１０】  実施例３の部分断面正面図である。
【図１１】  図１０の係着具の部分断面詳細図である。
【図１２】  実施例４の部分断面正面図である。
【図１３】  実施例５の部分断面詳細図である。
【図１４】  実施例２・３・４・５を折りたたみ椅子に取り付けた状態の正面図である。
【図１５】  実施例６の詳細図である。
【図１６】  実施例７の斜視図である。
【図１７】  図１６の荷棚を中間までたたんだ状態の斜視図である。
【図１８】  図１６の荷棚を完全にたたんだ状態の斜視図である。
【図１９】  本実施例７の荷棚を椅子に取り付けた状態のの正面図である。
【図２０】  図１９のｄ−ｄ断面図である。
【図２１】  実施例８の斜視図である。
【図２２】  本実施例８の荷棚を劇場用の椅子に取り付けた状態の側面図である。
【図２３】  図２１の椅子をたたむ状態の側面図である。
【図２４】  実施例９の詳細図と説明図である。
【発明を実施するための形態】
【０００９】  本発明の折りたたみ椅子用荷棚装置は、以下に述べる実施例に限定されるものではなく、本発明の技術的思想の範囲内、すなわち同一の作用効果を発揮できる形状及び寸法の範囲内で、適宜変更することができる。
【実施例１】
【００１０】  本発明の実施例１を図面に基づいて詳細に説明する。
先ず、本実施例の効果を発揮する上で最も重要な取着手段である係着具Ａ５を、図１・図２・図３によって説明する。
図１のＡ図は、折りたたみ椅子の前脚９０に係着具Ａ５を装着し、この係着具Ａ５を荷棚側から見た正面図であって、係着具Ａ５の中央に脱落防止キャップ１０を表し、更に点線によって図示する荷棚１と、その側辺から上に向けて形成するスライド孔Ａ３を設けた側部落下防止体２を表している。【００１１】  次に図１のＢ図は、Ａ図のａ−ａ矢視図であって、係着具Ａ５に形成する加圧管９に、側部落下防止体２に設けたスライド孔Ａ３を嵌め入れ、且つ側部落下防止体２が脱落するのを防止するために脱落防止キャップ１０を設けている。
またこの図１では、係着具Ａ５を左側の前脚９０に装着した状態を表しているが、この状態は左右前後の全ての脚に共通するものである。【００１２】  次に図２のＡ図は、実施例１の荷棚を折りたたみ椅子に組み入れて、実際に使用できる状態を表していて、座板９３の下側に係着具Ａ５・５を前後の脚に装着し、該係着具Ａ５・５に側部落下防止体２と共に荷棚１を組み入れた状態を表している。
次に図２のＢ図は、Ａ図の折りたたみ椅子を、収納できるようにたたんだ状態を表している。【００１３】  次に図３は、係着具Ａ５の断面詳細図であって、
先ずＡ図に示すように、係着具Ａ５は可撓部６によって開閉自在とするもので、その形状は、可撓部６を介して断面ほぼ半円樋形の挟着部７・７を形成し、更に該挟着部７・７は閉じ合わせたたときに円筒形となるもので、この挟着部７・７の端部に断面半円型の加圧部８・８形成している。
次にＢ図に示す加圧管９は、挟着部７・７を閉じ合わせて円柱型となった加圧部８・８に嵌め込み、挟着部７・７の閉じ合わせた状態を維持させるものである。
またこの加圧管９は、折りたたみ椅子を開閉する際に、側部落下防止体２に形成するスライド孔Ａ３・スライド孔Ｂ４を摺動するので、加圧管９の磨耗を少なくするために金属製が良い。
Ｃ図に示す脱落防止具１０は、前記加圧管９から側部落下防止体２が脱落するのを防ぐものであって、図示はしていないが螺着にすると良い。【００１４】  次にＤ図は折りたたみ椅子に荷棚を組み入れた状態、つまり脚９５に係着具Ａ５を装着した状態の平面図であって、挟着部７・７で脚９５を挟み、加圧管９によって脚９５を締めつけることで、係着具Ａ５の滑動を防ぐと共に、脱落防止キャップ１０によって側部落下防止体２の加圧管９からの脱落をも防げる。【００１５】  ここで前記加圧管９は上記する作用ほかに、以下に述べる作用がある。
それは本発明の折りたたみ椅子用荷棚装置は、すでに購入した折りたたみ椅子に荷棚を取り付けるものであるために、注意すべきことは、折りたたみ椅子が各メーカー、又はメーカーの機種等によって左右の脚の間隔に僅かではあるが差異があることである。
そこで、この差異を補うための調整手段として、加圧部８と加圧管９を長くしていて、この長くしたことによって強度が損なわれるときは、加圧部８・８に補強手段を施した別型の係着具Ａを用意すれば良い。
そこでＥ図はＤ図の脱落防止キャップ１０部分の断面図に示すように、挟着部７と加圧部８との間に補強部１１・１１を設けている。【００１６】  次にＦ図はＥ図のｂ−ｂ断面図であって、Ｅ図と同じく挟着部７と加圧部８との間に補強部１１・１１を設けている。
次に図４は後部落下防止体１２の正面図であって、後部落下防止体１２の下辺部は荷棚１の後辺に、撥ね上げ用のバネ付きヒンジ１４・１４によって蝶着されている。
よって、押圧摺動部１３・１３は常に後脚９２・９２の内面に接しているので、椅子を折りたたむときは、押圧摺動部は後脚９２・９２の内面を上下に摺動する。
【実施例２】
【００１７】  次に本発明の実施例２を図５・図６・図７・図８・図９に基づいて詳細に説明する。
先ず図５に示すように、係着具Ｂ２２は、半円樋型の嵌合体Ａ２３に、回動作用によって締めつけ効果を生むロック機構２４が設けられ、更に嵌合体Ａ２３の両端部に側部ヒンジ型吊体２８を係止するための、軸孔２６・２６を設けた支持片２５・２５を形成している。【００１８】  次に図６は図５のｂ−ｂ断面図であって、半円樋型の嵌合体Ａ２３にロック機構２４を軸着していて、係着具Ｂ２２を折りたたみ椅子に取り付けるには、嵌合体Ａ２３を座枠９４に嵌入れた後、ロック機構２４によって座枠９４を締めつけることで、係着具Ｂ２２は座枠９４への取り付けを完了する。
ここでロック機構は、金属成形あるいは樹脂成形ともに、従来の技術を利用する範囲で充分な効果は得られる。【００１９】  次に図７は図５図６に続き、係着具Ｂ２２を座枠に取り付けた状態の斜視図であって、樋型の嵌合体Ａ２３を座枠９４に嵌め入れた後、ロック機構２４によって係着具Ｂ２２を座枠９４に保持されている。
よって、予め係着具Ｂ２２に形成する軸孔２６に、側部ヒンジ型吊体２８を取り付け、つまり側部ヒンジ型吊体に形成する上部のヒンジ部３０の軸体２７を挿入しておくと、係着具Ｂ２２と側部ヒンジ型吊体２８は一体となり、これを左右一対として、荷棚２１に蝶着して荷棚装置としている。
次に図８は、図７のｃ−ｃ断面図であって、係着具Ｂ２２に設けたロック機構２４によって座枠９４を締めつけた状態を表ししている。
次に図９は、本実施例の側部ヒンジ型吊体２８・２８をたたんだ状態を表していて、側部ヒンジ型吊体２８・２８と荷棚２１は、座枠９４・９４の間に収納できるので、複数の折りたたみ椅子を重ねて保管しても荷棚が邪魔になることはない。
【実施例３】
【００２０】  次に本発明の実施例３を、図１０・図１１に基づいて詳細に説明する。
図１０は、係着具Ｃ３２・３２を座枠９４・９４に装着し、荷棚３１を折りたたんだ状態の断面図である。
次に図１１は図１０の詳細図であって、嵌合体Ｂ３３内に座枠９４を嵌め入れ、この座枠９４を、押圧片３４とネジ部３５と操作部Ａ３６からなる締め付け具によって締め込むことで、係着具Ｃ３２を座枠９４に装着し、更に嵌合体Ｂ３３に（図示なしの）形成する支持片を介して、側部ヒンジ型吊体２８と荷棚３１を連設している。
【実施例４】
【００２１】  次に本発明の実施例４を、図１２に基づいて詳細に説明する。
図１２のＡ図は本実施例を正面から見た図であって、係着具Ｄ４２・４２と直棒体Ａ４４と直棒体Ｂ４６と操作部Ｂ４８からなる押圧体４９を、左右の座枠９４・９４間に介在させた状態を表している。
次にＢ図は、Ａ図の詳細図であって、左右対象且つ直列状態に構成する直棒体Ａ４４と直棒体Ｂ４６は、左端部に樋型の押圧片４３を設け、且つ逆側に右ネジ部４５を形成する直棒体Ａと、また図示上右端部に樋型の押圧片４３を設け、且つ逆側に左ネジ部４７を形成する直棒体Ｂ４６と、両ネジを形成する長ナットを操作部４８としている。
よって、操作部４８の上側を手前方向に回転させると、互いに逆ネジの作用により、直棒体Ａ４４と直棒体Ｂ４６は互いに外方向に移動をするので、座枠９４・９４間での突き張り作用を生じ、係着具Ｄ４２・４２を座枠９４・９４に装着できる。
【実施例５】
【００２２】  次に本発明の実施例５を、図１３に基づいて詳細に説明する。
本実施例はず１３に示すように、前述した実施例２・実施例３・実施例４のように係着具の座枠９４への取着手段とは異なり、係着具自体が回動するもので、その基本となる構成と作用を表している。
先ず左図は、支持片５３を形成する筒型の係着具Ｅ５２を座枠９４に鞘形に設け、軸着部５４に軸着する側部ヒンジ型吊体２８をたたんだ状態を表していて、支持片５３は座枠９４の右に位置している。
右図は、側部ヒンジ型吊体２８が吊り下がった状態を表していて、係着具Ｅは約９０度回転している。
また、係着具Ｅ５２を樋型に二分割して合体手段を備えると良い。
次に図１４は、これまでに述べた実施例２・実施例３・実施例４・実施例５に記載する構成を折りたたみ椅子に取り付けて、荷棚を使用できる状態にしたときの正面図である。また荷棚２１・３１・４１・５１をたたむときは、荷棚を矢印の方向に押し上げると、側部ヒンジ形吊体２８は矢印で示すように、中段のヒンジ部が内方向に移動し、後部ヒンジ型吊体２９の中段のヒンジ部は手前方向に移動する。
【実施例６】
【００２３】  次に本発明の実施例６を、図１５に基づいて詳細に説明する。
図１５に示すように、側部ヒンジ型吊体２８に形成する各ヒンジ部の軸巻き部を断面長孔の遊動部５９として、内部に介在する軸体５８を遊動可能にしている。
これにより側部ヒンジ型吊体２８を折りたんだときの長さ調整ができるので、座枠９４・９４の間隔が異なる折りたたみ椅子であっても、荷棚の寸法を変えることなく取り付けることができる。
【実施例７】
【００２４】  次に本発明の実施例７を図１６・図１７・図１８・図１９・図２０に基づいて詳細に説明する。
先ず図１６に示すヒンジ型吊体６２は、下端と中央部と上端をヒンジとするもので、金属製・樹脂製蝶番、または合成樹脂のヒン加工等に限定するものではない。
荷棚６１は、両側部に側部ヒンジ型吊体６２の下端を蝶着し、且つ荷棚６１の後辺には後部ヒンジ型吊体６３の下端を蝶着し、上端は座板９３側に取り付けるための取着部材Ａ６５にそれぞれ蝶着している。【００２５】  また、側部ヒンジ型吊体６２を設ける箇所は、荷棚６１の両側部の前に１ヵ所ずつ、または前後に２ヵ所、更に前後を兼用するために幅を広くする等の何れに形状でも良く、取着部材Ａ６５を省いて、ヒンジ自体を座板９３又は座枠９４に直に取り付けても良い。
次に、取着部材Ａ６５を座板９３への取り付け手段は、座板の素材が木製、金属製、樹脂製に限ることなく、木ビス、金属用ビス、接着剤、粘着テープ、ボルトナット、その他、そしてこれらの併用も自在である。
また、枠型に図示している取着部材を、より強固に取り付けるために、上面全体を板状にしても良い。
また、取着部材Ａ６５を荷棚６１に取り付けるとき、図１７に示すように荷棚６１をたたんだ状態でもビス締めができるように、たたんでいる状態で、側部ヒンジ型吊体６２と後部ヒンジ型吊体６３と荷棚６１の、取着部材Ａに設けたビス孔６６と合致する位置にドライバーを差し入れる孔６７を設けると良い。
次に、荷棚６１をたたんだ状態を維持するために、バネ又は磁石等によって荷棚６１を取着部材Ａ６５に引きつける手段を設けると良いし、その他ロック機構を設けることもできる。
更に吊体を蛇腹にすることも実施例としてあり得る。【００２６】  次に図１７は、図１６に記載する荷棚装置を半ばまで折りたたんだ状態を表している。
次に図１８は、図１６に記載する荷棚装置を完全に折りたたんだ状態を表している。
次に図１９は、図１６に記載する本実施例７の荷棚装置を折りたたみ椅子に取り付けて正面から見た状態を表している。
次に図２０は、図１９のｄ−ｄ断面を表している。
また、荷棚をたたむ手段も上記のほかに蛇腹式等も含まれる。
【実施例８】
【００２７】  次に本発明の実施例８を、図２１・図２２・図２３・に基づいて詳細に説明する。
図２１は本実施例８の斜視図であって、荷棚７１の両側部に設けた前後２ヵ所づつの棒型吊体７２は、それぞれ上下の端部を９０度折り曲げ、この折り曲げ部分を軸部７３とし、上端の軸部７３を取着部材Ｂ７４に、また下端の軸部７３を荷棚７１に軸着している。
また後部左右の棒型吊体７２・７２に後部落下防止体７６を設けておくと、載置された荷物が荷棚７１からの落下または盗難を防止することができる。
更に、荷棚７１を使用するときは棒型吊体７２が吊り下げた状態であるために揺動するので、棒型吊体７２の垂直状態を維持する手段を設けておくと、荷棚７１の揺動を抑止できるので使いやすい。【００２８】  次に図２２は、本実施例の荷棚装置を劇場等の椅子に取り付けた状態を示していてる。
次に図２３のＡ図は、座部９７を４５度程たたみ上げた状態を示し、Ｂ図は座板を完全にたたんだ状態を示していて、たたんだ荷棚は観客の歩行にの際に全く支障はない。
【実施例９】
【００２９】  次に本発明の実施例９を図２４に基づいて詳細に説明する。
図２４は本実施例の断面図であって、
先ずＡ図は、取着部材Ｃ８３に吊部材８５を軸着し、また荷棚８１に開口する摺動開口部８２内に、前記吊部材８５を挿通し、この吊部材８５の端部に形成するストッパ−８６によって、荷棚８１が吊部材８５からの抜落を防止することができる。
次にこの実施例の作用を、図Ｂ・図Ｃ・図Ｄ・図Ｅによって説明する。
Ｂ図は荷棚８１をたたみ上げた状態である。
次にＣ図・Ｄ図・Ｅ図に示す順に荷棚８１を下げてゆくと、下端に達したとき荷棚８１はストッパ−８６によって停止し、荷棚８１を使用できる状態になる。
尚全ての実施例において、荷棚はワイヤーメッシュ・網等、棚として使用できる材料は全て含む。
【符号の説明】
【００３０】  実施例１
１：荷棚                    ２：側部落下防止体        ３：スライド孔Ａ
４：スライド孔Ｂ            ５：係着具Ａ              ６：可撓部
７：挟着部                  ８：加圧部                ９：加圧管
１０：脱落防止キャップ        １１：補強部              １２：後部落下防止体
１３：押圧摺動部              １４：バネ付きヒンジ
実施例２
２１：荷棚                    ２２：係着具Ｂ            ２３：嵌合体Ａ
２４：ロック機構              ２５：支持片              ２６：軸孔
２７：軸体                    ２８：側部ヒンジ型吊体    ２９：後部ヒンジ型吊体
３０：ヒンジ部
実施例３
３１：荷棚                    ３２：係着具Ｃ            ３３：嵌合体Ｂ
３４：押圧片                  ３５：ネジ部              ３６：操作部Ａ
実施例４
４１：荷棚                    ４２：係着具Ｄ            ４３：押圧片
４４：直棒体Ａ                ４５：右ネジ部            ４６：直棒体Ｂ
４７：左ネジ部                ４８：操作部Ｂ            ４９：押圧体
実施例５
５１：荷棚                    ５２：係着具Ｅ            ５３：支持片
５４：軸着部
実施例６
５８：軸体                    ５９：遊動部
実施例７
６１：荷棚                    ６２：側部ヒンジ型吊体    ６３：後部ヒンジ型吊体
６４：ヒンジ部                ６５：取着部材Ａ          ６６：ビス孔
６７：ドライバー用孔
実施例８
７１：荷棚                    ７２：棒型吊体            ７３：軸部
７４：取着部材Ｂ              ７５：ビス孔              ７６：後部落下防止体
実施例９
８１：荷棚                    ８２：摺動開口部          ８３：取着部材Ｃ
８４：軸着                    ８５：吊部材              ８６：ストッパー
従来の折りたたみ椅子
９０：前脚                    ９１：背もたれ            ９２：後脚
９３：座板                    ９４：座枠                ９５：脚
９６：背もたれ                ９７：座部                ９８：肘掛
９９；床
【手続補正３】
【補正対象書類名】図面
【補正対象項目名】全図
【補正方法】変更
【補正の内容】
【図１】
2019122741.tif 000026
【図２】
2019122741.tif 000027
【図３】
2019122741.tif 000028
【図４】
2019122741.tif 000029
【図５】
2019122741.tif 000030
【図６】
2019122741.tif 000031
【図７】
2019122741.tif 000032
【図８】
2019122741.tif 000033
【図９】
2019122741.tif 000034
【図１０】
2019122741.tif 000035
【図１１】
2019122741.tif 000036
【図１２】
2019122741.tif 000037
【図１３】
2019122741.tif 000038
【図１４】
2019122741.tif 000039
【図１５】
2019122741.tif 000040
【図１６】
2019122741.tif 000041
【図１７】
2019122741.tif 000042
【図１８】
2019122741.tif 000043
【図１９】
2019122741.tif 000044
【図２０】
2019122741.tif 000045
【図２１】
2019122741.tif 000046
【図２２】
2019122741.tif 000047
【図２３】
2019122741.tif 000048
【図２４】
2019122741.tif 000049